(57)【要約】【課題】二つの撮像光学系を備えるカメラに用いられるシャッタ装置であって、部品点数を大幅に低減でき得るシャッタ装置を提供する。【解決手段】シャッタ基板３２には、二つのシャッタ開口３４ａ,３４ｂが形成されている。このシャッタ基板３２の前方には、シャッタ羽根６２ａ，６２ｂと、絞り板７０と、が設けられている。シャッタ羽根６２ａ，６２ｂは、カムピン５６が始点位置から中間位置、または、中間位置から終点位置の間を往復移動する際に、それぞれ１回以上のシャッタ開閉動作を行う。絞り板７０は、カムピン５６が始点位置から中間位置の間にいる際には小絞り開口７２ａ，７２ｂがシャッタ開口３４ａ，３４ｂに対応する位置に、カムピン５６が中間位置から終点位置の間にいる際には開放絞り開口７４ａ，７４ｂがシャッタ開口３４ａ，３４ｂに対応する位置に移動する。【選択図】図２
2008033108.tif 000002
【特許請求の範囲】
【請求項１】
二つの撮影光学系を備えるカメラに用いられるシャッタ装置であって、
二つの撮影光学系に対応して二つのシャッタ開口が形成されたシャッタ基板と、
二つのシャッタ開口を同時に開閉可能なシャッタ部材と、
開放絞り開口および小絞り開口がそれぞれ二つずつ形成された絞り板と、
単一のモータからの駆動力を受けて、始点位置から中間位置を経由して終点位置まで延びる移動経路に沿って往復移動可能なカムピンと、
を備えており、
シャッタ部材は、カムピンが挿通されるシャッタ用カム孔であって、カムピンが始点位置から中間位置の間を往復移動、および、中間位置から終点位置までの間を往復移動する際にそれぞれ一回以上の開閉動作を行うべくシャッタ部材の駆動を規定するシャッタ用カム孔を備えており、
絞り板は、カムピンが挿通される絞り用カム孔であって、カムピンが始点位置から中間位置までの間に位置する際には二つの開放絞り開口が、カムピンが中間位置から終点位置までの間に位置する際には二つの小絞り開口が、それぞれ対応するシャッタ開口の正面に位置するべく絞り板の駆動を規定する絞り用カム孔を備えている
ことを特徴とするシャッタ装置。
【請求項２】
請求項１に記載のシャッタ装置であって、
シャッタ部材は、回動することにより前記二つのシャッタ開口を同時に開閉する一対のシャッタ羽根を備えており、
各シャッタ羽根には、カムピンの移動に伴い当該シャッタ羽根を回動させるシャッタ用カム孔が形成されている
ことを特徴とするシャッタ装置。
【請求項３】
請求項１または２に記載のシャッタ装置であって、
カムピンが、直線移動する場合に、
絞り板は、カムピンの移動方向に開放絞り開口および小絞り開口が隣接して形成されており、
絞り用カム孔は、カムピンの移動方向に延び、始点位置から中間位置または中間位置から終点位置までの長さより僅かに短い長さを有する長孔である
ことを特徴とするシャッタ装置。
【請求項４】
請求項３に記載のシャッタ装置であって、
絞り板に形成される二つの開放絞り開口のうち少なくとも一つは、絞り板端部に形成された切り欠きであることを特徴とするシャッタ装置。
【請求項５】
請求項１から４のいずれか１項に記載のシャッタ装置であって、さらに、
絞り板の一部に係合することで当該絞り板の移動を阻害する停止位置規制部材であって、一定以上の力が付加された際には弾性変形により絞り板との係合を解除する停止位置規制部材を備え、
絞り板は、二つの開放絞り開口が二つのシャッタ開口に対応する位置、および、二つの小絞り開口が二つのシャッタ開口に対応する位置に移動した際に、前記係合部材と係合する被係合部を有する
ことを特徴とするシャッタ装置。
【発明の詳細な説明】
【技術分野】
【０００１】
本発明は、二つの撮影光学系を備えるカメラに用いられるシャッタ装置に関する。
【背景技術】
【０００２】
近年、複数の撮像光学系を備えたカメラが提案されている。撮像光学系が複数の場合、当然、シャッタ機構や絞り機構も複数となる。このとき、各撮像光学系ごとにシャッタ機構、絞り機構を設けることは部品点数の増加、制御の複雑化、撮像装置の大型化などを招くため望ましくない。そこで、従来から、複数の撮像光学系を有するカメラにおいて、シャッタ機構または絞り機構を、複数の撮像光学系で共通化する技術が提案されている。例えば、特許文献１には、一つの絞り部材で三つのレンズの絞りを調整する技術が開示されている。また、特許文献２には、二つのレンズに対応する二つのシャッタ羽根を連結して一体化し、当該一体化されたシャッタ羽根を駆動することで二つのレンズのシャッタ開閉を行う技術が開示されている。これらの技術によれば、複数の撮像光学系を備えるカメラにおけるシャッタまたは絞りに関する部品点数を削減することができる。
【０００３】
【特許文献１】特開平８−３２８１７３号公報
【特許文献２】特開平５−１３４３３１号公報
【特許文献３】特開２００５−６２７８０号公報
【発明の開示】
【発明が解決しようとする課題】
【０００４】
しかしながら、上記技術によっても、シャッタ部材および絞り部材をそれぞれ個別に駆動する必要があり、部品点数を効果的に削減できているとは言い難かった。特許文献３には、シャッタ部材および絞り部材の駆動機構を共通化した技術が開示されている。しかし、この特許文献３は、撮像光学系が単一の場合にのみ有効な技術であり、複数の撮像光学系を備えるカメラでは有効とは言い難かった。
【０００５】
そこで、本発明では、二つの撮像光学系を備えるカメラに用いられるシャッタ装置であって、部品点数を大幅に低減でき得るシャッタ装置を提供することを目的とする。
【課題を解決するための手段】
【０００６】
本発明のシャッタ装置は、二つの撮影光学系を備えるカメラに用いられるシャッタ装置であって、二つの撮影光学系に対応して二つのシャッタ開口が形成されたシャッタ基板と、二つのシャッタ開口を同時に開閉可能なシャッタ部材と、開放絞り開口および小絞り開口がそれぞれ二つずつ形成された絞り板と、単一のモータからの駆動力を受けて、始点位置から中間位置を経由して終点位置まで延びる移動経路に沿って往復移動可能なカムピンと、を備えており、シャッタ部材は、カムピンが挿通されるシャッタ用カム孔であって、カムピンが始点位置から中間位置の間を往復移動、および、中間位置から終点位置までの間を往復移動する際にそれぞれ一回以上の開閉動作を行うべくシャッタ部材の駆動を規定するシャッタ用カム孔を備えており、絞り板は、カムピンが挿通される絞り用カム孔であって、カムピンが始点位置から中間位置までの間に位置する際には二つの開放絞り開口が、カムピンが中間位置から終点位置までの間に位置する際には二つの小絞り開口が、それぞれ対応するシャッタ開口の正面に位置するべく絞り板の駆動を規定する絞り用カム孔を備えていることを特徴とする。
【０００７】
好適な態様では、シャッタ部材は、回動することにより前記二つのシャッタ開口を同時に開閉する一対のシャッタ羽根を備えており、各シャッタ羽根には、カムピンの移動に伴い当該シャッタ羽根を回動させるシャッタ用カム孔が形成されている。
【０００８】
他の好適な態様では、カムピンが、直線移動する場合に、絞り板は、カムピンの移動方向に開放絞り開口および小絞り開口が隣接して形成されており、絞り用カム孔は、カムピンの移動方向に延び、始点位置から中間位置または中間位置から終点位置までの長さより僅かに短い長さを有する長孔である。この場合、絞り板に形成される二つの開放絞り開口のうち少なくとも一つは、絞り板端部に形成された切り欠きであることが望ましい。
【０００９】
他の好適な態様では、さらに、絞り板の一部に係合することで当該絞り板の移動を阻害する停止位置規制部材であって、一定以上の力が付加された際には弾性変形により絞り板との係合を解除する停止位置規制部材を備え、絞り板は、二つの開放絞り開口が二つのシャッタ開口に対応する位置、および、二つの小絞り開口が二つのシャッタ開口に対応する位置に移動した際に、前記係合部材と係合する被係合部を有する。
【発明の効果】
【００１０】
本発明によれば、単一のモータからの出力を受けて移動するカムピンで、シャッタ部材および絞り板の駆動を実現している。そのため、二つの撮像光学系を備えるカメラに用いられるシャッタ装置の部品点数を大幅に低減できる。
【発明を実施するための最良の形態】
【００１１】
以下、本発明の実施形態について図面を参照して説明する。図１は、本発明の実施形態であるデジタルカメラ１０の概略構成を示すブロック図である。このデジタルカメラ１０は、互いに異なる光軸に沿って配設された二つの撮像光学系１２ａ，１２ｂを備えている。各撮像光学系１２ａ，１２ｂには、複数のレンズ群１３ａ，１３ｂが設けられている。そして、この複数のレンズ群１３ａ，１３ｂをレンズ用駆動モータ２８によって光軸に沿って移動させることで変倍動作や焦点調節動作が実現されている。また、二つの撮像光学系１２ａ，１２ｂには、単一のシャッタ装置３０が設けられている。このシャッタ装置３０は、後に詳説するように、二つの撮像光学系１２ａ，１２ｂそれぞれのシャッタ機構および絞り機構を共通化し、ユニット化したものである。このシャッタ装置３０は、単一の駆動モータ（図示せず）により絞り動作およびシャッタ動作を実現している。
【００１２】
各撮像光学系１２ａ，１２ｂにより集光された被写体光は、各撮像光学系１２ａ，１２ｂに対応して設けられたＣＣＤ１４ａ，１４ｂにより光電変換され、画像信号として画像処理部１６に出力される。画像処理部１６は、得られた画像信号に所定の信号処理、例えば、Ａ／Ｄ変換や、画素加算処理、ホワイトバランス処理、γ補正処理、ＪＰＥＧ変換処理などを施すことにより画像データを生成する。生成された画像データは、ＬＣＤ２０に表示されたり、外部メモリ１８に記憶されたりする。
【００１３】
制御部２２は、ユーザインターフェース２４を介して入力されるユーザからの指示に応じてカメラ全体を制御する。具体的には、画像処理部１６やＬＣＤ２０の駆動を制御する。また、レンズ用駆動モータ２８やシャッタ装置３０に搭載された駆動モータ等を駆動するモータ駆動回路２６に指示を出力し、レンズ群１３ａ，１３ｂやシャッタ装置３０の動作も制御する。
【００１４】
次に、このデジタルカメラ１０で用いられるシャッタ装置３０について詳説する。図２は、シャッタ装置３０の分解斜視図である。このシャッタ装置３０は、既述したとおり、二つの撮像光学系１２ａ，１２ｂそれぞれのシャッタ機構および絞り機構を共通化し、ユニット化したものである。すなわち、従来、二つの撮像光学系を備えるカメラにおいては、各撮像光学系ごとにシャッタ機構および絞り機構を設けていた。しかしながら、各撮像光学系ごとにシャッタ機構および絞り機構を設けることは、駆動モータの増加や所要スペースの増加などを招き、結果として、カメラ全体としてのコストアップや大型化を招いていた。本実施形態では、かかる問題を解決するために、二つの撮像光学系１２ａ，１２ｂのシャッタ機構および絞り機構を共通化したシャッタ装置３０を用いている。
【００１５】
このシャッタ装置３０は、シャッタ基板３２、シャッタ羽根対６０、絞り板７０、移動板５０、および、筐体（図２では筐体の前面８２ａおよび背面８２ｂのみを図示）を備えている。シャッタ基板３２には、第一撮像光学系１２ａで集光される被写体光を透過させる第一シャッタ開口３４ａ、および、第二撮像光学系１２ｂで集光される被写体光を透過させる第二シャッタ開口３４ｂが、所定の間隙を介して形成されている。二つのシャッタ開口３４ａ，３４ｂの間には、後述するカムピン５６の移動を許容する第一移動孔３６が形成されている。また、第一シャッタ開口３４ａの左側には、移動ピン４８の移動を許容する第二移動孔３８が形成されている。カムピン５６および移動ピン４８は、いずれも対応する移動孔３６，３８の範囲内で移動する。したがって、シャッタ基板３２は、カムピン５６および移動ピン４８に直接、接触することはなく、カムピン５６および移動ピン４８が移動してもシャッタ基板３２の位置は変動しない。
【００１６】
シャッタ基板３２の上端および下端には、前後に張り出した張出部４０が形成されている。この張出部４０は、後述する絞り板７０および移動板５０の移動方向をガイドするガイド部材として機能する。また、第一移動孔３６の上側および下側には、シャッタ羽根６２ａ，６２ｂの外周形状に対応した形状の凸部４２が形成されている。この凸部４２によりシャッタ羽根は回動可能に支持される。
【００１７】
シャッタ基板３２の背面には移動板５０が設けられている。移動板５０は、駆動モータ４４の駆動により横方向（二つのシャッタ開口３４ａ，３４ｂの隣接方向）に直線移動する板材である。この移動板５０の略中央には、カムピン５６が突出形成されている。カムピン５６は、シャッタ基板３２に形成された第一移動孔３６を通過して、シャッタ羽根６２ａ，６２ｂおよび絞り板７０に形成されたカム孔６８ａ，６８ｂ，７６に挿通されるピンである。このカムピン５６が移動板５０の移動に伴い、直線移動することで、シャッタ羽根６２ａ，６２ｂおよび絞り板７０が駆動される。なお、図２においては、カムピン５６の挿通位置を示すため、実際より長めに図示している。カムピン５６の移動に伴う各部の移動の様子については後に詳説する。
【００１８】
カムピン５６の両側には、シャッタ開口３４ａ，３４ｂを遮蔽しないために設けられた透過開口５２ａ，５２ｂが形成されている。この透過開口５２ａ，５２ｂは、移動板５０が直線移動してもシャッタ開口３４ａ，３４ｂを遮蔽しないようにするために、シャッタ開口３４ａ，３４ｂに比べて十分に大きく形成されている。
【００１９】
移動板５０の端部付近には、移動ピン４８が挿通される長孔５４が形成されている。移動ピン４８は、駆動モータ４４により回動する回動アーム４６の先端に設けられたピンである。長孔５４に挿通された状態で移動ピン４８が円弧状に移動すると、移動ピン４８の上下方向の移動成分は長孔５４により吸収され、移動ピン４８の左右方向の移動成分は移動板５０に伝達される。そして、左右方向の移動成分が移動板５０に伝達されることにより、移動板５０の直線移動が実現される。なお、この移動板５０の移動の様子についても後に詳説する。
【００２０】
シャッタ基板３２の前方にはシャッタ羽根対６０が設けられている。シャッタ羽根対６０は、二つのシャッタ開口３４ａ，３４ｂを同時に開閉するもので、第一シャッタ羽根６２ａおよび第二シャッタ羽根６２ｂから構成されている。各シャッタ羽根６２ａ，６２ｂには、二つのシャッタ開口３４ａ，３４ｂを同時に遮蔽できる程度の長さの羽根部６６と、羽根部６６の中央に設けられた円形の中央部６４を有している。中央部６４には、略円弧状のカム孔６８ａ，６８ｂが形成されており、このカム孔６８ａ，６８ｂに挿通されたカムピン５６が移動することでシャッタ羽根６２ａ，６２ｂが回動するようになっている。そして、シャッタ羽根６２ａ，６２ｂの回動により、羽根部６６の角度が可変することで、シャッタ開口３４ａ，３４ｂの開閉が実現されている。
【００２１】
また、シャッタ羽根対６０の前方には、さらに、絞り板７０が設けられている。絞り板７０には、二つの小絞り開口７２ａ，７２ｂ、および、二つの開放絞り開口７４ａ，７４ｂが形成されている。二つの小絞り開口７２ａ，７２ｂは、いずれも、対応するシャッタ開口３４ａ，３４ｂより小さい円形の開口であり、その隣接間隔は二つのシャッタ開口３４ａ，３４ｂの隣接間隔と等しくなっている。この二つの小絞り開口７２ａ，７２ｂが、それぞれ、対応するシャッタ開口３４ａ，３４ｂの正面に位置すると、シャッタ開口３４ａ，３４ｂの一部が絞り板により遮蔽され、小絞り状態となる。
【００２２】
一方、二つの開放絞り開口７４ａ，７４ｂのうち、第二シャッタ開口３４ｂに対応する第二開放絞り開口７４ｂは、第二小絞り開口７２ｂの左側に設けられた円形孔である。また、第一シャッタ開口３４ａに対応する第一開放絞り開口７４ａは絞り板７０の左側端部に形成された半円状の切り欠きである。この二つの開放絞り開口７４ａ，７４ｂの隣接間隔は、二つのシャッタ開口３４ａ，３４ｂの隣接間隔と等しくなっている。そして、この二つの開放絞り開口７４ａ，７４ｂが、それぞれ、対応するシャッタ開口３４ａ，３４ｂの正面に位置した場合には、シャッタ開口３４ａ，３４ｂは絞り板７０で遮られることがないため、絞り開放状態となる。なお、本実施形態で、一方の開放絞り開口７４ａを切り欠きとしているのは、絞り板７０の横方向長さを短縮し、ひいては、シャッタ装置３０の小型化を図るためである。
【００２３】
第二開放絞り開口７４ｂと第一小絞り開口７２ａとの間には、カムピン５６が挿通されるカム孔７６が形成されている。このカム孔７６は、横方向、すなわち、カムピン５６の移動方向に長尺な略矩形である。そして、カムピン５６がカム孔７６の横方向長さ以上の距離分だけ横方向に直線移動すると、当該カムピン５６により絞り板７０が押されて横方向に直線移動する仕組みとなっている。
【００２４】
絞り板７０の上端には、クリック体８０が係合するＶ字状溝７８ａ，７８ｂが所定の間隔を開けて、二つ形成されている。クリック体８０は、横方向に移動する絞り板７０の停止位置を規制する停止位置規制部材として機能するもので、Ｖ字状溝７８ａ，７８ｂに係合可能な形状となっている。このクリック体がＶ字状溝７８ａ，７８ｂに係合することで、絞り板の停止位置が規制される。ただし、このクリック体８０は、絞り板７０の移動により一定以上の力が付加されると上下方向に撓みを生じる程度の弾性を備えている。そして、この撓みによりＶ字状溝７８ａ，７８ｂとの係合が解除され、絞り板７０の移動が許容される。
【００２５】
シャッタ基板３２や移動板５０、シャッタ羽根対６０、絞り板７０は、筐体に収容されシャッタ装置３０としてユニット化される。筐体の前面８２ａおよび後面８２ｂには、シャッタ開口３４ａ，３４ｂを遮蔽しないための透過開口８４が形成されており、被写体光の透過を許容している。また、カムピン５６や移動ピン４８の移動を許容するための移動孔８６、駆動モータ４４の突出を許容するモータ孔８８なども形成されており、薄型でありながら、各部の駆動を許容する構成となっている。
【００２６】
次に、カムピン５６の移動動作について図３から図５を用いて詳説する。図３から図５は、それぞれ、カムピン５６が始点位置、中点位置、終点位置に位置した際における移動板５０とシャッタ基板３２の概略正面図である。図３〜図５においては、移動板５０は破線で、駆動モータ４４および回動アーム４６は二点鎖線で図示している。
【００２７】
本実施形態において、カムピン５６は、第一シャッタ開口３４ａ寄りの位置に設定された始点位置Ｐａから、第二シャッタ開口３４ｂ寄りの位置に設定された終点位置Ｐｃへと直線移動する。この始点位置Ｐａから終点位置Ｐｃへの移動の際には、始点位置Ｐａと終点位置Ｐｃのほぼ中間に設定された中間位置Ｐｂを経由する。
【００２８】
カムピン５６の直線移動は、回動アーム４６の回動、ひいては、移動ピン４８の円弧状移動により実現されている。既述したとおり、移動ピン４８は、移動板５０の端部付近に形成された長孔５４に挿通されている。
【００２９】
カムピン５６が始点位置Ｐａ、すなわち、左寄りの位置にあるとき、移動ピン４８も左寄りの位置にある。この状態で、駆動モータ４４の駆動により回動アーム４６が時計周り方向に回動すると、移動ピン４８は、円弧状の軌跡を描きながら、徐々に、右側へと移動する。このとき、移動ピン４８の移動の縦方向成分は、縦方向に長尺な長孔５４により吸収される。一方、移動ピン４８の移動の横方向成分は、長孔５４で吸収されることなく、移動板５０に伝達される。換言すれば、移動板５０は、移動ピン４８により右側へと押されて直線移動する。その結果、図４に図示するように、移動板５０に設けられたカムピン５６も右側へと移動し、中間位置Ｐｂへと至る。
【００３０】
さらに回動アーム４６を時計周り方向に回動させると、移動板５０、ひいては、カムピン５６は、さらに右側へと移動する。そして、図５に図示するように、カムピン５６は終点位置Ｐｃへと至る。一方、この図５の状態から、駆動モータ４４を逆回転させて回動アーム４６を反時計周り方向に回動させると、カムピン５６は、終点位置Ｐｃから、中間位置Ｐｂを経由して、始点位置Ｐａへと移動する。
【００３１】
ここで、図３〜図５から明らかなように、カムピン５６が始点位置Ｐａから終点位置Ｐｃまでのいずれの位置にあっても、移動板５０はシャッタ開口３４ａ，３４ｂを遮蔽しない。すなわち、移動板５０には、シャッタ開口３４ａ，３４ｂに対して十分に大きい透過開口５２ａ，５２ｂが形成されており、移動板５０が直線移動しても、シャッタ開口３４ａ，３４ｂは透過開口５２ａ，５２ｂの開口内に位置するようになっている。
【００３２】
次に、このカムピン５６の移動に伴うシャッタ羽根対６０の駆動の様子について図６、図７を用いて説明する。図６、図７は、シャッタ開口３４ａ，３４ｂとシャッタ羽根対６０との概略正面図である。なお、図６、図７においては、見易さのため第二シャッタ羽根６２ｂは破線で、シャッタ開口３４ａ，３４ｂは二点鎖線で図示している。
【００３３】
図６（Ａ）に図示するように、カムピン５６が始点位置Ｐａに位置している場合、当該カムピン５６は、シャッタ羽根６２ａ，６２ｂのカム孔６８ａ，６８ｂの端部付近に位置している。そして、このとき、二つのシャッタ羽根６２ａ，６２ｂが互いに為す角度は大きく、二つのシャッタ開口３４ａ，３４ｂは開放状態となっている。
【００３４】
この状態から、カムピン５６が中間位置Ｐｂ側（右側）へと移動していくと、カムピン５６の挿通状態を維持するべく、カム孔６８ａ，６８ｂ、ひいては、シャッタ羽根６２ａ，６２ｂの姿勢が徐々に変更される。具体的には、二つのシャッタ羽根６２ａ，６２ｂは、互いに為す角度が小さくなるように徐々に回動する。そして、図６（Ｂ）に図示するように、カムピン５６が中間位置Ｐｂ近傍まで移動すると、二つのシャッタ羽根６２ａ，６２ｂにより、二つのシャッタ開口３４ａ，３４ｂは、完全に遮蔽された閉鎖状態になる。
【００３５】
この状態から、再び、カムピン５６を始点位置Ｐａへと移動させると、図６（Ａ）に図示した状態、すなわち、二つのシャッタ開口３４ａ，３４ｂが開放された状態に戻る。つまり、カムピン５６が始点位置Ｐａから中間位置Ｐｂの間を往復移動することにより、二つのシャッタ開口３４ａ，３４ｂの開閉動作が実現されている。
【００３６】
一方、図６（Ｂ）の状態から、カムピン５６をさらに終点位置Ｐｃ側（右側）へと移動させた場合を考える。この場合、カムピン５６が中間位置Ｐｂを越えたときから、二つのシャッタ羽根６２ａ，６２ｂの為す角度が徐々に大きくなっていく。そして、カムピン５６が終点位置Ｐｃに到達すると、図７（Ａ）に図示するように、二つのシャッタ羽根６２ａ，６２ｂの為す角度は十分に大きくなり、二つのシャッタ開口３４ａ，３４ｂは開放状態となる。この状態から、再び、カムピン５６を中間位置Ｐｂ側（左側）へと移動させると、二つのシャッタ羽根６２ａ，６２ｂの為す角度は、徐々に小さくなっていく。そして、図７（Ｂ）に図示するように、カムピン５６が中間位置Ｐｂ近傍に達した時点で二つのシャッタ開口３４ａ，３４ｂが完全に遮蔽された閉鎖状態になる。換言すれば、カムピン５６が中間位置Ｐｂから終点位置Ｐｃの間を往復移動することにより、二つのシャッタ開口３４ａ，３４ｂの開閉動作が実現されている。
【００３７】
以上の説明から明らかなように、本実施形態においては、カムピン５６を、始点位置Ｐａから中間位置Ｐｂまでの間、あるいは、中間位置Ｐｂから終点位置Ｐｃまでの間において往復移動させることにより、二つのシャッタ開口３４ａ，３４ｂの開閉動作が行われる。
【００３８】
次に、カムピン５６の移動に伴う絞り板７０の駆動の様子について図８、図９を用いて説明する。図８、図９は、シャッタ開口３４ａ，３４ｂと絞り板７０との概略正面図である。なお、図８、図９において、シャッタ開口３４ａ，３４ｂは二点鎖線で図示している。
【００３９】
はじめに、絞り板７０に形成されたカム孔７６の大きさについて簡単に説明する。既述したように絞り孔のカム孔７６は、横方向に長尺な略矩形となっている。このカム孔７６の横方向長さは、始点位置Ｐａから中間位置Ｐｂまでの長さ、あるいは、中間位置Ｐｂから終点位置Ｐｃまでの長さより僅かに短い程度となっている。
【００４０】
このカム孔７６に挿通されたカムピン５６が始点位置Ｐａに位置している場合の様子を図８（Ａ）に図示する。この場合、絞り板７０は、二つの小絞り開口７２ａ，７２ｂが二つのシャッタ開口３４ａ，３４ｂの正面になるような位置にある。また、絞り板７０のカム孔７６は、その左側端部がカムピン５６近傍に位置し、その右側端部が中間位置Ｐｂより僅かに始点位置Ｐａ寄り（左寄り）に位置している。さらに、クリック体８０は、絞り板７０の上端の右寄りに形成された第一Ｖ字状溝７８ａに係合している。
【００４１】
この状態でカムピン５６を中間位置Ｐｂ側（右側）へと徐々に移動させた場合を考える。この場合、図８（Ｂ）に図示するように、カムピン５６を中間位置Ｐｂ近傍まで移動させたとしても、カムピン５６と絞り板７０は接触しない。そのため、カムピン５６が中間位置Ｐｂ近傍まで移動したとしても、絞り板７０は移動せず、二つの小絞り開口７２ａ，７２ｂは二つのシャッタ開口３４ａ，３４ｂの正面に位置したままとなる。
【００４２】
この図８（Ｂ）の状態、すなわち、カムピン５６が中間位置Ｐｂより僅かに始点位置Ｐａ寄り（左寄り）の状態から、さらに、カムピン５６を終点位置Ｐｃ側（右側）へと移動させると、カムピン５６に押されて絞り板７０が終点位置Ｐｃ側へと移動しようとする。このとき、第一Ｖ字状溝７８ａに係合するクリック体８０により絞り板７０の移動はある程度規制される。しかし、一定以上の力が、絞り板７０からクリック体８０に付加されると、クリック体８０は上下方向に撓みを生じる。そして、この撓みにより、クリック体８０と第一Ｖ字状溝７８ａとの係合が解除され、絞り板７０の移動が許容される。
【００４３】
カム孔７６の右側端面を押しながらカムピン５６が終点位置Ｐｃまで到達した状態を図９（Ａ）に図示する。この図９（Ａ）から明らかなとおり、カムピン５６が終点位置Ｐｃまで到達すると、絞り板７０に形成された二つの開放絞り開口７４ａ，７４ｂは、それぞれ、対応するシャッタ開口３４ａ，３４ｂの正面に位置する。つまり、絞り開放状態となる。また、第一Ｖ字状溝７８ａとの係合関係が解除されたクリック体８０は、第二Ｖ字状溝７８ｂと係合する。これにより、絞り板７０の更なる移動が規制され、開放絞り開口７４ａ，７４ｂとシャッタ開口３４ａ，３４ｂとの相対位置関係が維持される。
【００４４】
ここで、カムピン５６が終点位置Ｐｃに位置している場合、カム孔７６の左側端部は中間位置Ｐｂよりわずかに終点位置Ｐｃ寄り（右寄り）の位置になる。この状態から、カムピン５６を中間位置Ｐｂ側（左側）に移動させた場合を考える。この場合、カムピン５６が中間位置Ｐｂより僅かに終点位置寄りの位置に移動するまでの間、カムピン５６は絞り板７０と接触しないため、絞り板７０の移動は発生しない。そのため、カムピン５６が終点位置Ｐｃから中間位置Ｐｂ近傍まで往復移動しても、絞りの状態は変化しない。一方、カムピン５６が中間位置Ｐｂを越えて移動すれば、絞りの状態は、開放状態から小絞り状態に変化する。
【００４５】
以上の説明から明らかなように、本実施形態によれば、カムピン５６を、中間位置Ｐｂを越えて移動させた場合にのみ絞り状態を切り替えることができる。換言すれば、カムピン５６の移動範囲が中間位置Ｐｂを跨がない限り、絞り状態の切り替えは発生しない。一方、上述したように、シャッタ羽根対６０は、カムピン５６を、始点位置Ｐａから中間位置Ｐｂ、あるいは、中間位置Ｐｂから終点位置Ｐｃの間、換言すれば、絞り切り替えが発生しない範囲で往復移動させることによりシャッタ開閉動作を行う。そのため、絞り状態を切り替えることなくシャッタ開閉動作を行うことが可能となる。また、絞り状態を切り替えた後でも、その切り替え後の絞り状態を維持したまま、シャッタ開閉動作を行うことができる。
【００４６】
これについて、図１０、図１１を用いて簡単に説明する。図１０、図１１は、シャッタ開口３４ａ，３４ｂと絞り板７０、および、シャッタ羽根対６０の概略正面図であり、既出の図６，図７および図８，図９を重複図示したものである。
【００４７】
図１０（Ａ）および図１０（Ｂ）に図示するとおり、カムピン５６が始点位置Ｐａから中間位置Ｐｂ近傍まで移動すると、二つのシャッタ羽根６２ａ，６２ｂは互いに為す角度を小さくする方向に回動し、シャッタ開口３４ａ，３４ｂを遮蔽する。一方、このとき、絞り板７０は、カムピン５６に接触しないため、移動しない。そのため、二つの小絞り開口７２ａ，７２ｂは、対応するシャッタ開口３４ａ，３４ｂの正面に位置したままとなる。つまり、カムピン５６を始点位置から中間位置の間で往復移動させれば、小絞り状態でシャッタを開閉することができる。
【００４８】
一方、ユーザ等から絞り状態を小絞り状態から開放状態へ切り替えることが指示されれば、カムピン５６を終点位置Ｐｃまで移動させる。カムピン５６を終点位置Ｐｃまで移動させると図１１（Ａ）に図示するように、絞り板７０が移動し、二つの開放絞り開口７４ａ，７４ｂが対応するシャッタ開口３４ａ，３４ｂの正面に位置し、絞り開放状態になる。この絞り開放状態で、シャッタ開閉したい場合には、図１１（Ａ）、図１１（Ｂ）に図示するように、カムピン５６を終点位置Ｐｃから中間位置Ｐｂの間で往復移動させればよい。
【００４９】
つまり、本実施形態によれば、カムピン５６の移動範囲を適宜、調節することにより、絞り状態の切り替え動作、および、シャッタの開閉動作の両方が実現できる。ここで、カムピン５６は、単一の駆動モータ４４からの出力を受けて移動する。換言すれば、本実施形態において、絞り状態の切り替え動作、および、シャッタの開閉動作に必要なモータは一つのみとなる。その結果、複数のモータを必要としていた従来技術に比べて、シャッタ開閉および絞り切り替えを行うシャッタ装置のサイズを低減でき、コストも低減できる。
【００５０】
なお、上記説明したシャッタ装置は一例であり、適宜、形状や駆動態様等を変更してもよい。例えば、カムピン５６の移動方向や、絞り板７０に形成された開口７２ａ，７２ｂ７４ａ，７４ｂの隣接方向、絞り板７０やシャッタ羽根６２ａ，６２ｂに形成されたカム孔７６，６８ａ，６８ｂの形状などは、適宜、変更可能である。
【図面の簡単な説明】
【００５１】
【図１】本発明の実施形態であるデジタルカメラの概略構成を示すブロック図である。
【図２】シャッタ装置の分解斜視図である。
【図３】カムピンが始点位置に位置した際における移動板とシャッタ基板の概略正面図である。
【図４】カムピンが中間位置に位置した際における移動板とシャッタ基板の概略正面図である。
【図５】カムピンが終点位置に位置した際における移動板とシャッタ基板の概略正面図である。
【図６】シャッタ開口とシャッタ羽根対との概略正面図であって、（Ａ）はカムピンが始点位置に、（Ｂ）はカムピンが中間位置近傍に位置する場合の図である。
【図７】シャッタ開口とシャッタ羽根対との概略正面図であって、（Ａ）はカムピンが終点位置に、（Ｂ）はカムピンが中間位置近傍に位置する場合の図である。
【図８】シャッタ開口と絞り板との概略正面図であって、（Ａ）はカムピンが始点位置に、（Ｂ）はカムピンが中間位置近傍に位置する場合の図である。
【図９】シャッタ開口と絞り板との概略正面図であって、（Ａ）はカムピンが終点位置に、（Ｂ）はカムピンが中間位置近傍に位置する場合の図である。
【図１０】シャッタ開口と絞り板とシャッタ羽根対の概略正面図であって、（Ａ）はカムピンが始点位置に、（Ｂ）はカムピンが中間位置近傍に位置する場合の図である。
【図１１】シャッタ開口と絞り板とシャッタ羽根対の概略正面図であって、（Ａ）はカムピンが終点位置に、（Ｂ）はカムピンが中間位置近傍に位置する場合の図である。
【符号の説明】
【００５２】
１０  デジタルカメラ、１２  各撮像光学系、１６  画像処理部、１８  外部メモリ、２２  制御部、２４  ユーザインターフェース、２６  モータ駆動回路、３０  シャッタ装置、３２  シャッタ基板、３４  シャッタ開口、４４  駆動モータ、４６  回動アーム、４８  移動ピン、５０  移動板、５４  長孔、５６  カムピン、６０  シャッタ羽根対、６２  シャッタ羽根、６８，７６  カム孔、７０  絞り板、７２  小絞り開口、７４  開放絞り開口、７８  Ｖ字状溝、８０  クリック体、Ｐａ  始点位置、Ｐｂ  中間位置、Ｐｃ  終点位置。
【図１】
2008033108.tif 000003
【図２】
2008033108.tif 000004
【図３】
2008033108.tif 000005
【図４】
2008033108.tif 000006
【図５】
2008033108.tif 000007
【図６】
2008033108.tif 000008
【図７】
2008033108.tif 000009
【図８】
2008033108.tif 000010
【図９】
2008033108.tif 000011
【図１０】
2008033108.tif 000012
【図１１】
2008033108.tif 000013